(57)【要約】【課題】  マット状に展開されている袋本体をベビーキャリーバスケットに組み立てた際、マット状の袋本体の四隅部がベビーキャリーバスケットの内部に現出しないようにしたベビーキャリーバスケットを提供する。【解決手段】  内部に収容空間が形成された略矩形状の袋本体１と、袋本体１内に収容されるインナークッション２と、袋本体１をコ字型に折り曲げた際の両端開放部の各々を塞ぎ得る略矩形状の２つの側面覆い部材３，３とを備え、袋本体１の両端開放部の略全長に亘ってスライドファスナーＦ１の一方のエレメント６を設けると共に、側面覆い部材３，３の上辺を除く３辺にスライドファスナーＦ１の他方のエレメント１９を設けたことを特徴とする。【選択図】図１
2017038806.tif 000002
【特許請求の範囲】
【請求項１】
内部に収容空間が形成された略矩形状の袋本体と、前記袋本体内に収容されるインナークッションと、前記袋本体をコ字型に折り曲げた際の両端開放部の各々を塞ぎ得る略矩形状の２つの側面覆い部材とを備え、
前記袋本体の両端開放部の略全長に亘ってスライドファスナーの一方のエレメントを設けると共に、前記側面覆い部材の上辺を除く３辺にスライドファスナーの他方のエレメントを設けたことを特徴とするベビーキャリーバスケット。
【請求項２】
前記袋本体に前記インナークッションを出し入れするための挿入口を形成したことを特徴とする請求項１記載のベビーキャリーバスケット。
【発明の詳細な説明】
【技術分野】
【０００１】
本発明は、赤ん坊を寝かせた状態で移動する際に使用するベビーキャリーバスケットに関するものである。
【背景技術】
【０００２】
従来、この種のベビーキャリーバスケットとして、クーハンと呼ばれるトウモロコシの茎を編み込んで作成した籠が用いられていたが、このタイプのものは、虫が発生する、あるいは周囲が堅いため、使用時に赤ん坊の手足があたった時に、赤ん坊に不快感を与えてしまうといった問題が生じていた。そうしたことから、最近では、例えば、特許文献１に示されているような布地とクッション材とを組み合わせたベビーキャリーバスケットが主流となってきている。また、特許文献１に示されているものは、その図３に示されているように、ベビーキャリーバスケットとしての使用の他に、展開してマットとして使用することも可能となっている。
【０００３】
しかしながら、特許文献１記載のものは、次のような欠点が存在している。すなわち、特許文献１記載のベビーキャリーバスケットは、展開されている状態からバスケットに組み立てると、その四隅部分が折畳部９ａ，９ｂ，９ｃ，９ｄとして、バスケット内に現出してしまい、どうしても見栄えが悪くなる。そのため、バスケットとして使用するにあたり、この折畳部を覆うためのカバーを別途設ける必要が生じてしまう。また、特許文献１記載のベビーキャリーバスケットのベースマット１ａ〜１ｅは、綿わたを布で包み、その表面にキルティングを施して形成しているため、マットの表面の布が汚れても洗濯機等で丸洗いすることが困難であるといった問題を抱えている。
【先行技術文献】
【特許文献】
【０００４】
【特許文献１】特開２０００−１３９６２８号公報
【発明の概要】
【発明が解決しようとする課題】
【０００５】
そこで、本発明は、上記課題を解決すべく、展開されている状態からバスケットに組み立てても、バスケット内に折畳部に相当するものが現出せず、また、マットの役割を果たす袋本体を容易に洗濯機等で丸洗いし得るベビーキャリーバスケットを提供することを目的としている。
【課題を解決するための手段】
【０００６】
前記課題を解決するために本発明に係るベビーキャリーバスケットは、内部に収容空間が形成された略矩形状の袋本体と、前記袋本体内に収容されるインナークッションと、前記袋本体をコ字型に折り曲げた際の両端開放部の各々を塞ぎ得る略矩形状の２つの側面覆い部材とを備え、前記袋本体の両端開放部の略全長に亘ってスライドファスナーの一方のエレメントを設けると共に、前記側面覆い部材の上辺を除く３辺にスライドファスナーの他方のエレメントを設けたことを特徴としている。
【０００７】
また、本発明に係るベビーキャリーバスケットにおいて、前記袋本体に前記インナークッションを出し入れするための挿入口を形成しておくことが好ましい。こうすることで、袋本体が汚れた際に、袋本体からインナークッションを取り出して、袋本体を洗濯機等で丸洗いすることが可能となり、ひいては、ベビーキャリーバスケットを常に清潔に保つことができる。
【発明の効果】
【０００８】
本発明に係るベビーキャリーバスケットによれば、展開されている状態からバスケットに組み立てても、展開されている袋本体の四隅部がバスケット内に折畳部として現出せず、見栄えが良いばかりか、折畳部を隠すためのカバー等が不要となる。従って、製造コストを抑えることができ、また、デザイン上の自由度も増加する。
【０００９】
さらに、袋本体にインナークッションを出し入れするための挿入口を形成しておけば、袋本体からインナークッションを取り出して、袋本体を容易に洗濯することが可能となる。
【図面の簡単な説明】
【００１０】
【図１】ベビーキャリーバスケットの斜視図。
【図２】ベビーキャリーバスケットを分解し展開した平面図。
【図３】ベビーキャリーバスケットを分解し展開した平面図。
【図４】図３のＡ−Ａ線断面図。
【図５】展開した袋本体と内部に収納するインナークッションを示す図。
【図６】側面覆い部材と内部に収納する補強板を示す図。
【図７】ベビーキャリーバスケットの組立てを示す図。
【図８】袋本体を手提げ袋に転用した状態を示す図。
【発明を実施するための形態】
【００１１】
次に本発明の実施の形態について図面を参照しながら説明する。図１は完成された状態のベビーキャリーバスケットの斜視図、図２はベビーキャリーバスケットを分解及び展開し、その内側部分を示す図、図３はベビーキャリーバスケットを分解及び展開し、その外側部分を示す図、図５は袋本体とインナークッションを示す図、図６は側面覆い部材と補強板を示す図である。ここで、本実施形態に係るベビーキャリーバスケットＡは、略矩形状の袋本体１と、袋本体１内に収容されるインナークッション２と、２つの側面覆い部材３，３と、中敷き部材とによって概略構成されている。
【００１２】
前記袋本体１は、図２及び図３に示されているように、展開された状態において略矩形状、具体的には長方形状であり、その四隅にやや丸みをつけた形状になっている。また、袋本体１は、内側布地１ａと外側布地１ｂの周縁部を縫合することにより、内部にインナークッション２を収容するための空間が形成された袋状になっている。すなわち、袋本体１は、長方形状であり、且つ同じ大きさの内側布地１ａと外側布地１ｂを重ね合わせ、その周縁部を縫合している。このうち、内側布地１ａは、赤ん坊の肌が接触する部位となるため、触感の良いパイル地が選択されており、外側布地１ｂは、綿生地が選択されている。また、周縁部が縫合された内側布地１ａと外側布地１ｂの縁部外周には、縁取りとしてバイアステープ部材５が縫着されている。さらに、袋本体１の一対の長辺部のそれぞれの縁部であって、外側布地１ｂ側には、その長手方向に沿うよう一端側から他端側に亘ってスライドファスナーＦ１のエレメント（務歯）６，６が装着されている。このエレメント６，６は、そのテープ状の基材部分が前述したバイアステープ部材５の内側に挟み込まれてバイアステープ部材５と共に縫着されている。さらに、これらエレメント６，６のそれぞれに１つずつ、スライドファスナーＦ１のスライダー７，７が装着されている。スライドファスナーＦ１は、前記のように袋本体１に設けられていることから、袋本体１をコ字型に折り曲げると、その両端開放部の各々の全長に亘ってスライドファスナーＦ１が位置することになる（図７）。また、袋本体１の外側布地１ｂの一方側の長辺部からやや内側に、その長手方向に沿うように横長の挿入口８が設けられており、この横長の挿入口８にスライドファスナーＦ２が装着されている。さらに、ベビーキャリーバスケットＡのデザイン性を高める目的、すなわち、横長の挿入口８及びスライドファスナーＦ２が外部から目視できないように、横長の挿入口８及びスライドファスナーＦ２を覆うように被せカバー９が縫着されている。なお、このスライドファスナーＦ２は、通常は閉止されており、袋本体１からインナークッション２を出し入れする際に開放することになる。さらに、袋本体１の外側布地１ｂには、キャリーバンド１０が装着されている。
【００１３】
前記インナークッション２は、図４に示されているように、不織布製の袋状のカバー１１内部にクッション材１２を収容して形成されている。すなわち、やや厚みのある長方形状のクッション材１１の上部と下部のそれぞれに長方形状の２枚の不織布を配置し、２枚の不織布の周縁部を縫合して形成されている。なお、このインナークッション２は、袋本体１の内部に略隙間なく収まる大きさになっている。
【００１４】
前記のとおり、袋本体１の横長の挿入口８からインナークッション２が出し入れ自在になっていることから、袋本体１からインナークッション２を取り出して、袋本体１を洗濯機等で簡単に丸洗いすることが可能である。なお、前記説明において、袋本体１の横長の挿入口８は、袋本体１の外側布地１ｂの一方側の長辺部からやや内側に、その長手方向に沿うように設けられている例を示したが、必ずしもそうする必要はなく、横長の挿入口８の向き、位置、長さなどは任意に選択することが可能である。また、前記説明において、横長の挿入口８にスライドファスナーを設けた例を示したが、スライドファスナーを装着するか否かについても任意である。
【００１５】
前記側面覆い部材３は、図６に示されているように、上部が開口する袋状部材１５と、その内部に出し入れ自在に挿入されている補強板１６とによって構成されている。ここで、袋状部材１５について具体的に説明すると、袋状部材１５は、四隅にやや丸みを持たせた長方形状の２枚の綿生地を重ね合わせ、これらの上辺を除く３辺の周縁部を縫合することで、上部が開口１７する袋状に形成されている。また、袋状部材１５の縁部外周には、縁取りとしてバイアステープ部材１８が縫着されている。さらに、袋状部材１５の上辺を除く３辺の周縁部には、スライドファスナーＦ１が装着されている。具体的には、袋状部材１５の外周縁であって、その一方の上端部から他方の上端部にかけて略コの字状にスライドファスナーＦ１のエレメント（務歯）１９が装着されている。このエレメント１９は、そのテープ状の基材部分がバイアステープ部材１８の内側に挟み込まれてバイアステープ部材１８と共に縫着されている。また、これらエレメント１９には１つのスライドファスナーＦ１のスライダー２０が装着されている。なお、袋状部材１５（側面覆い部材３）の上辺を除く３辺の長さは、袋本体１の長辺の長さと略一致する寸法になっている。さらに、袋状部材１５の上部には、開口１７を覆うように被せ蓋２１が取着されている。この被せ蓋２１は、袋状部材１５と同じ綿生地が用いられており、その縁部外周には、縁取りとしてバイアステープ部材２２が縫着されている。また、袋状部材１５の上部両側にそれぞれ二本ずつ細長い紐部材２３，２３・・・が装着されている。
【００１６】
前記中敷き部材は、図示はしないが、不織布製の袋状のカバー内部にクッション材と薄板とを収容して形成されている。具体的には、袋状のカバーは、その短辺の一方側が開口しており、その開口にやや厚みのある長方形状のクッション材と薄板を挿入することで、中敷き部材が形成されている。この中敷き部材は、ベビーキャリーバスケットＡの内底面に敷かれるもので、カバー内の薄板が下側に位置し、クッション材が上側に位置するように配置される。なお、中敷き部材の大きさは、ちょうどベビーキャリーバスケットＡの内底面を覆うサイズになっている。すなわち、本発明に係るベビーキャリーバスケットは、従来技術として示した特許文献１に記載されているもののように、マットの四隅の折畳部に相当するものが存在していないため、該折畳部を隠す必要がなく、側面覆い部材にまで中敷き部材の端部を拡張する必要がない。
【００１７】
次に、上記のように構成されたベビーキャリーバスケットＡの使用方法について説明する。図２はベビーキャリーバスケットＡを分解し、且つ袋本体１を展開した図であり、この図では、袋本体１の内側布地１ａが上側になるように床面に置かれている。ここで、袋本体１の内側布地１ａは、触感の良いパイル地が選択されており、また、袋本体１の内部にインナークッション２が収容されているので、袋本体１を広げて使用すれば、赤ん坊用の敷き布団、あるいはプレイマットとして使用することができる。
【００１８】
さらに、分解されている状態からベビーキャリーバスケットＡとして使用できる状態にするための手順について説明する。図７（ａ）に示すように、まず、展開されている袋本体１の一端側を折り曲げる。この時、袋本体１のスライドファスナーＦ１のエレメント６が内側に位置するように折り曲げる。また、袋本体１のスライドファスナーＦ１のスライダー７は袋本体１の片側上端に位置させておく。そして、側面覆い部材３をその開口１７及び被せ蓋２１が外側を向くように配置し、袋本体１のスライダー７に側面覆い部材３のエレメント１９を止着する。後は、スライダー７を下方へ移動させてスライドファスナーＦ１を閉じていく。次いで、図７（ｂ）に示すように、袋本体１の他端側を折り曲げ、側面覆い部材３のスライダー２０に袋本体１のエレメント１９を止着し、スライダー２０を下方へと移動させてスライドファスナーＦ１を閉じていく。これにより、コ字型に折り曲げた袋本体１の開放部が側面覆い部材３によって閉塞される。さらに、対向する側についても、同じ動作を行い、袋本体１に側面覆い部材３を装着する。この動作によって、袋本体１と２つの側面覆い部材３，３が合体し、上面が開放された箱型のバスケットになる。そして、最後に、該バスケットの内底面に中敷き部材をセットすることで、ベビーキャリーバスケットＡが完成する。
【００１９】
なお、本実施形態におけるベビーキャリーバスケットＡは、その他の幾つかの方法で使用することが可能である。その一つとして、ベビーキャリーバスケットＡを分解した後、袋本体１単体を図８に示されているような手提げ袋として使用することができる。すなわち、袋本体１には、袋本体１をコ字型に折り曲げた際の両端開放部の略全長に亘るようにスライドファスナーＦ１，Ｆ１のエレメントが設けられている。これは、袋本体１を展開した場合、図３に示すように、袋本体１の対向する１対の側辺の全長に亘ってスライドファスナーＦ１，Ｆ１のエレメント６，６が設けられていることになる。また、これらエレメント６，６には、それぞれ１つずつスライダー７，７が設けられている。従って、展開された状態の袋本体１をその内側布地１ａを内側にして２つ折りにすると、袋本体１の両側部にスライドファスナーＦ１，Ｆ１が位置することになるので、両側部のそれぞれのエレメント６，６をスライダー７，７に止着した後、スライダー７，７をそれぞれ下方へと移動させてやれば、スライドファスナーＦ１が閉じて袋本体１が手提げ袋になる。
なお、本実施形態に係る袋本体は、従来技術として示した特許文献１に記載されているもののように、マットの四隅の折畳部に相当するものが存在していないため、該折畳部が手提げ袋の内部に存在することがない。すなわち、手提げ袋の内部に余分なものがなく、その内部を物の収容空間として有効に活用することができる。
【００２０】
さらに、別の使用方法として、ベビーキャリーバスケットＡを分解した後、側面覆い部材３を利用することも可能である。すなわち、側面覆い部材３は、袋状に形成されており、しかも、上部に開口が形成されていることから、この側面覆い部材３から補強板１６を抜き取れば、小物入れとして使用することが可能である。また、側面覆い部材３には、その上部両側にそれぞれ２本ずつ紐部材２３，２３が装着されていることから、例えば、ベビーベッドの柵に紐部材２３，２３を括り付けて、母子手帳やおむつ等を入れておく物入れとして使用することもできる。
【００２１】
なお、前記実施の形態で説明した袋本体には、折曲げ線等が入っていない例を示したが、袋本体をコ字型に簡単に折り曲げられるように、袋本体１に糸を縫い付けるなどして、予め折曲げ線を入れておくことも考えられる。もっとも、このようにした場合、袋本体１に、この袋本体１と略同じ大きさのインナークッションを入れることができなくなる。すなわち、インナークッションが折曲げ線に引っ掛かって挿入できなくなるので、折曲げ線によって区画された３つの部位のそれぞれに開口を設けると共に、３つのインナークッションを準備することが必要になる。
【００２２】
また、前記実施の形態に示した袋本体は、展開時において、長方形状のものを例として説明したが、必ずしも長方形である必要はなく、例えば、正方形であってもよい。
【符号の説明】
【００２３】
Ａ      ベビーキャリーバスケット
Ｆ      スライドファスナー
１      袋本体
２      インナークッション
３      側面覆い部材
６      エレメント
８      挿入口
【図１】
2017038806.tif 000003
【図２】
2017038806.tif 000004
【図３】
2017038806.tif 000005
【図４】
2017038806.tif 000006
【図５】
2017038806.tif 000007
【図６】
2017038806.tif 000008
【図７】
2017038806.tif 000009
【図８】
2017038806.tif 000010